(57)【要約】【課題】本発明は、組立棚において、柱の分解組立が可能であって、しかも棚の高さ位置調整ができるようにした棚における組立柱部材を提供することを目的とする。【解決手段】所定長さの胴部８と、肩部９と、首部１０と、さらに雄ネジ１１とからなり前記胴部８下面には挿入溝１２が形成された下脚４を設け、前記胴部８と、肩部９と、首部１０とからなり前記挿入溝１２の小径穴奥側に前記雄ネジ１１が螺合する雌ネジ１３が埋設される上脚５を設け、棚２の厚さと同一高さの胴部１４と、肩部１５とからなり前記肩部９と前記首部１０と同径孔で一体に貫通孔１６が形成される駒６を設け、前記胴部８と、肩部９と、首部１０とからなり前記胴部８下面には挿入溝１２が形成される中脚７を設け、これら下脚４、上脚５、駒６、中脚７を適宜組み立て連結して柱１を構成することを特徴とする棚における組立柱部材。【選択図】  図１
2004215884.tif 000002
【特許請求の範囲】
【請求項１】
所定長さの大径円柱状の胴部８と、該胴部８上面の同一芯上に一体に形成された中径円柱状の肩部９と、該肩部９の同一芯上に一体に形成された小径円柱状の首部１０と、さらに該首部１０の同一芯上に立設された雄ネジ１１とからなり、一方前記胴部８下面には入口側が大径穴で奥側が小径穴となり、中脚７の肩部９及び首部１０が嵌合する挿入溝１２が形成された下脚４を設け、前記下脚４と同一の胴部８と、該胴部８上面の同一芯上に一体に形成された前記下脚４と同一の肩部９と、該肩部９の同一芯上に一体に形成された前記下脚４と同一の首部１０とからなり、一方前記胴部８下面には入口側が大径穴で奥側が小径穴に形成され、前記下脚４の肩部９及び首部１０が嵌合する挿入溝１２が形成されると共に、該挿入溝１２の小径穴奥側に前記雄ネジ１１が螺合する雌ネジ１３が埋設される上脚５を設け、棚２の厚さと同一高さで且つ前記下脚４の胴部８と同径円筒状の胴部１４と、該胴部１４上面の同一芯上に一体に形成された前記下脚４の肩部９と同一の肩部１５とからなり、前記胴部１４には前記肩部９と同径孔、前記肩部１５には前記首部１０と同径孔で一体に貫通孔１６が形成される駒６を設け、前記下脚４と同一の胴部８と、該胴部８上面の同一芯上に一体に形成された前記下脚４と同一の肩部９と、該肩部９の同一芯上に一体に形成された前記下脚４と同一の首部１０とからなり、一方前記胴部８下面には入口側が大径穴で奥側が小径穴に形成され、前記上脚５、他の中脚７の肩部９及び首部１０が嵌合する挿入溝１２が形成される中脚７を設け、これら下脚４、上脚５、駒６、中脚７を適宜組み立て連結して柱１を構成することを特徴とする棚における組立柱部材。
【請求項２】
前記下脚４、中脚７の挿入溝１２の小径穴の内周面には、塗布後乾燥しても粘着性があって仮止め接着することができる粘着糊１７が塗布され、前記上脚５、中脚７の首部１０には、前記挿入溝１２に嵌合させた際に、前記粘着糊１７が付着しても挿脱できるように粘着テープ１８を粘着面を内側にして巻着させたことを特徴とする請求項１記載の棚における組立柱部材。
【発明の詳細な説明】
【０００１】
【発明の属する技術分野】
本発明は、組立棚において、分解組立が可能であって、しかも棚の高さ位置調整が可能である組立柱部材に関する。
【０００２】
【従来の技術】
従来、組立て分解が可能で、棚の高さ調節自在な組立棚は、特開平６−７０８１７号公報により公知である。
しかし、上記公開公報は、円筒形の柱の円周に上下方向に等間隔で離間した環状みぞを設け、該みぞに嵌合する環状リブを備えたスリーブにより棚を上下位置調整可能としたものである。
そして、前記柱は一本の円筒形であるため、棚の位置を変更するには全体を一度分解しなければならなかった。
一方、柱を複数個に分解可能にする公知技術として、分解組立式ごみ箱ではあるが、特開平９−１２１０３号公報がある。
【０００３】
【特許文献】
前記特開平９−１２１０３号公報は、図５に示すように、ポール４１の先端部には径小部４２が設けられ、下端部には他のポール４１の径小部４２が嵌合する開口部４４が形成されており、さらに前記径小部４２には他のポール４１の開口部４４と緊密に嵌合させるための凸部４３が形成されている。
【０００４】
【発明が解決しようとする課題】
本発明は、組立棚において、柱の分解組立が可能であって、しかも棚の高さ位置調整ができるようにした棚における組立柱部材を提供することを目的とする。
【０００５】
【課題を解決するための手段】
そのために、本発明の棚における組立柱部材は、所定長さの大径円柱状の胴部８と、該胴部８上面の同一芯上に一体に形成された中径円柱状の肩部９と、該肩部９の同一芯上に一体に形成された小径円柱状の首部１０と、さらに該首部１０の同一芯上に立設された雄ネジ１１とからなり、一方前記胴部８下面には入口側が大径穴で奥側が小径穴となり、中脚７の肩部９及び首部１０が嵌合する挿入溝１２が形成された下脚４を設け、前記下脚４と同一の胴部８と、該胴部８上面の同一芯上に一体に形成された前記下脚４と同一の肩部９と、該肩部９の同一芯上に一体に形成された前記下脚４と同一の首部１０とからなり、一方前記胴部８下面には入口側が大径穴で奥側が小径穴に形成され、前記下脚４の肩部９及び首部１０が嵌合する挿入溝１２が形成されると共に、該挿入溝１２の小径穴奥側に前記雄ネジ１１が螺合する雌ネジ１３が埋設される上脚５を設け、棚２の厚さと同一高さで且つ前記下脚４の胴部８と同径円筒状の胴部１４と、該胴部１４上面の同一芯上に一体に形成された前記下脚４の肩部９と同一の肩部１５とからなり、前記胴部１４には前記肩部９と同径孔、前記肩部１５には前記首部１０と同径孔で一体に貫通孔１６が形成される駒６を設け、前記下脚４と同一の胴部８と、該胴部８上面の同一芯上に一体に形成された前記下脚４と同一の肩部９と、該肩部９の同一芯上に一体に形成された前記下脚４と同一の首部１０とからなり、一方前記胴部８下面には入口側が大径穴で奥側が小径穴に形成され、前記上脚５、他の中脚７の肩部９及び首部１０が嵌合する挿入溝１２が形成される中脚７を設け、これら下脚４、上脚５、駒６、中脚７を適宜組み立て連結して柱１を構成するものである。
さらに、前記下脚４、中脚７の挿入溝１２の小径穴の内周面には、塗布後乾燥しても粘着性があって仮止め接着することができる粘着糊１７が塗布され、前記上脚５、中脚７の首部１０には、前記挿入溝１２に嵌合させた際に、前記粘着糊１７が付着しても挿脱できるように粘着テープ１８を粘着面を内側にして巻着させたものである。
【０００６】
【発明の実施の形態】
以下、本発明の棚における組立柱部材の一実施例を添付図面に基づいて説明する。
図１に示すように、組立棚Ａは木材から製作され、四隅に柱１の嵌合孔３を形成した矩形板からなる棚２と、前記棚２の嵌合孔３を貫通し、連結する構造を備えた複数の組立柱部材からなる柱１とから構成される。
前記棚２は、矩形板（正方形板、長方形板）としたが、これに限らず柱１を挿通する嵌合孔３を備えて棚として使用できる厚板であれば三角形、四角形などの多角形板や正円、楕円などの円形板であっても良い。
又、片側だけに嵌合孔３を設けて図４に示す片持棚１９とすることもでき、組立棚Ａは木材に限らず、軽金属、合成樹脂から作製することも可能である。
前記棚２の嵌合孔３は、図２に示すように、下側が大径で上側が小径に貫通され、後述する下脚４の肩部９及び首部１０が嵌合する大きさに貫通形成される。
【０００７】
図１に示すように、前記柱１は、下脚４と、上脚５と、駒６と、中脚７とを適宜連結して組み立てた円柱状の組立柱部材からなる。
図２に示すように、前記下脚４は、所定長さの大径円柱状の胴部８と、該胴部８上面の同一芯上に一体に形成された中径円柱状の肩部９と、該肩部９上面の同一芯上に一体に形成された小径円柱状の首部１０と、さらに該首部１０上面の同一芯上に立設された雄ネジ１１とからなり、一方前記胴部８下面には入口側が大径穴で奥側が小径穴となり、後述する中脚７の肩部９及び首部１０が嵌合する挿入溝１２が形成される。
前記上脚５は、前記下脚４と同一の胴部８と、該胴部８上面の同一芯上に一体に形成された前記下脚４と同一の肩部９と、該肩部９上面の同一芯上に一体に形成された前記下脚４と同一の首部１０とからなり、一方前記胴部８下面には入口側が大径穴で奥側が小径穴に形成され、前記下脚４の肩部９及び首部１０が嵌合する挿入溝１２が形成されると共に、該挿入溝１２の小径穴奥側に前記下脚４の雄ネジ１１が螺合する雌ネジ１３が埋設される。
【０００８】
図３に示すように、前記駒６は、前記棚２の厚さと同一高さで且つ前記下脚４の胴部８と同径円筒状の胴部１４と、該胴部１４上面の同一芯上に一体に形成された前記下脚４の肩部９と同一の肩部１５とからなり、前記胴部１４には前記肩部９と同径孔、前記肩部１５には前記首部１０と同径孔で一体に貫通孔１６が形成される。
前記中脚７は、前記下脚４と同一の胴部８と、該胴部８上面の同一芯上に一体に形成された前記下脚４と同一の肩部９と、該肩部９上面の同一芯上に一体に形成された前記下脚４と同一の首部１０とからなり、一方前記胴部８下面には入口側が大径穴で奥側が小径穴に形成され、前記上脚５、他の中脚７の肩部９及び首部１０が嵌合する挿入溝１２が形成される。
なお、前記下脚４、上脚５、中脚７の挿入溝１２の小径穴の深さは、前記下脚４、上脚５、中脚７の首部１０を嵌合した時に棚２の厚み分を余す、すなわち前記駒６を嵌合できる深さに形成されている。
そして、前記下脚４、上脚５、中脚７の前記胴部８、肩部９、首部１０及び挿入溝１２は同一形状であって、前記下脚４は中脚７に雄ネジ１１、前記上脚５は中脚７に雌ネジ１３をそれぞれ付設したものである。
【０００９】
さらに、前記下脚４、中脚７の挿入溝１２の小径穴の内周面には、図３に一部破断して示すように、塗布後乾燥しても粘着性があって仮止め接着することができる粘着糊１７が塗布される。
前記粘着糊１７の組成成分は水、アクリル樹脂からなり、例えば株式会社トンボ鉛筆製、ピットマルチ２（商品名）を使用する。
また、前記上脚５、中脚７の首部９には、前記挿入溝１２に嵌合させた際に、前記粘着糊１７が付着しても挿脱できるように粘着テープ１８を粘着面を内側にして巻着させる。
なお、粘着テープ１８は、例えば株式会社ケイユー製、超透明粘着テープ（商品名）を使用する。
【００１０】
次に、図１に示す組立棚Ａを組み立てる手順を、以下図面に基づいて説明する。
図２に示すように、棚２を挟んで下方に下脚４、上方に上脚５を配置し、前記棚２の嵌合孔３に前記下脚４の首部１０及び肩部９を挿通し、前記肩部９及び首部１０を前記嵌合孔３に嵌合させる。
つぎに、前記棚２から突出した前記下脚４の首部１０に上脚５の挿入溝１２を挿入し、さらに上脚５を回転させて雄ネジ１１と雌ネジ１３とを螺合させ、下脚４と上脚５とにより棚２を締め付け固定する。
このような操作を前記棚２の四隅に繰り返して下脚４と上脚５とを立設する。
【００１１】
そして、棚２を次に組み立てないので、図２に示す上脚５の肩部９、首部１０に図３に示す駒６の貫通孔１６を嵌合させる。
すべての挿入溝１２の小径穴の深さは首部１０を嵌合した時に棚２の厚み分を余すように形成されているので、前記駒６により棚２の厚みだけ補足し、すなわち前記上脚５の肩部９が上昇したと同様な効果を発揮させる。
前記駒６が嵌合された上脚５に、図３に示す中脚７の挿入溝１２を挿入させると、前記挿入溝１２に前記駒６の肩部１５及び前記上脚５の首部１０が嵌合する。
そして、前記上脚５の首部１０には粘着テープ１８が巻着され、前記中脚７の挿入溝１２には粘着糊１７が塗布されているので、前記上脚５と前記中脚７とは粘着糊１７により仮止め接着される。
さらに、同様にして棚２を次に組み立てないので、前記駒６を前記中脚７の肩部９、首部１０に挿入し、前記駒６が嵌合された中脚７に、図３に示す下脚４の挿入溝１２を挿入させると、前記挿入溝１２に前記駒６の肩部１５及び前記中脚７の首部１０が嵌合する。
次に、棚２を組み立てるので、前記下脚４の肩部９、首部１０に棚２の嵌合孔３を嵌合させる。
そして、前述と同様にして、前記棚２から突出した前記下脚４の首部１０に上脚５の挿入溝１２を挿入し、さらに上脚５を回転させて雄ネジ１１と雌ネジ１３とを螺合させ、下脚４と上脚５とにより棚２を締め付け固定する。
それぞれの下脚４、上脚５、中脚７はネジ締付け又は仮止め接着により固定されているので、柱１は強固に連結され、分離することはない。
このようにして、棚２の四隅とも組み立てたのが図１に示す組立棚Ａの柱１である。
【００１２】
図１に示す組み立てた組立棚Ａを分解するには、前記上脚５及び上方の棚２を取り除き、４本の柱１の適宜位置の中脚７（又は下脚４）を捻りながら分離する方向に引き抜くことにより仮止め接着されていた粘着糊１７と粘着テープ１８の結合を解き、分離することができる。
したがって、棚の高さ位置又は配置を変更したい場合には、分離した位置に駒６及び中脚７を継ぎ足したり、駒６の位置に棚２や片持棚１９を配置することにより、図４に示すように簡単に高さ位置又は配置を変更することが出来る。
【００１３】
【効果】
このように、本発明の棚における組立柱部材は、組立棚において、柱の適宜位置の中脚（又は下脚）を捻りながら分離方向に引き抜くことにより粘着糊と粘着テープの仮止め接着の結合を解き、分離することができるので、棚の高さ位置又は配置を変更したい場合には、分離した位置に駒及び中脚を継ぎ足したり、駒の位置に棚や片持棚を配置することにより、簡単に高さ位置又は配置を変更することが出来る。
又、棚や片持棚は下脚と上脚とで簡単にネジ締め付けにより固定されるので、ガタ付くことなく安定して支持することが出来る。
【図面の簡単な説明】
【図１】本発明の組立棚Ａの斜視図である。
【図２】本発明の下脚及び上脚の連結を説明する分解斜視図である。
【図３】本発明の中脚及び下脚の連結を説明する分解斜視図である。
【図４】本発明の他の組立棚Ａを示す正面図である。
【図５】従来例の分解組立式ごみ箱の斜視図である。
【符号の説明】
１  柱
２  棚
３  嵌合孔
４  下脚
５  上脚
６  駒
７  中脚
８  胴部
９  肩部
１０  首部
１１  雄ネジ
１２  挿入溝
１３  雌ネジ
１４  胴部
１５  肩部
１６  貫通孔
１７  粘着糊
１８  粘着テープ
１９  片持棚
【図１】
2004215884.tif 000003
【図２】
2004215884.tif 000004
【図３】
2004215884.tif 000005
【図４】
2004215884.tif 000006
【図５】
2004215884.tif 000007